(57)【要約】      （修正有）【課題】装置の交換作業においてラベル貼付装置がより簡単且つより迅速に取り換えられるように改善された方法を提供する。【解決手段】物品を搬送する少なくとも１つの回転木馬型コンベヤ、その周囲に交換可能に配置されている、物品に装貼するための少なくとも１つのラベル貼付装置８とを有する、容器等のような物品の装貼機械１に関するものであり、この場合、回転木馬型コンベヤの周囲に、床板に支持された、定置のラベル貼付装置８用装置受入れ架台６が配置されている。【選択図】図４
2011152958.tif 000002
【特許請求の範囲】
【請求項１】
物品を搬送する少なくとも１つの回転木馬型コンベヤ（３）と、その周囲に交換可能に配置されている、少なくとも１つのラベル貼付装置（８）とを有する、容器等のような物品の装貼機械（１）において、
回転木馬型コンベヤ（３）の周囲に、床板に支持された、定置のラベル貼付装置（８）用の装置受入れ架台（５、６、７、４０）が配置されていることを特徴とする物品の装貼機械。
【請求項２】
装置受入れ架台（５、６、７、４０）が床板に固定されていることを特徴とする請求項１に記載の機械。
【請求項３】
装置受入れ架台（５、６、７、４０）が、回転木馬型コンベヤ（３）に対して相対的に、高さおよび／または半径方向間隔および／または傾斜に関して前設定されているかまたは前設定可能であることを特徴とする請求項１または２に記載の機械。
【請求項４】
ラベル貼付装置（８）が、装置受入れ架台（５、６、７、４０）に組み込まれた状態におけるその付属領域に第１の要素（５１、６１）を備え、第１の要素（５１、６１）は、ラベル貼付装置（８）の設置において、装置受入れ架台に付属の第２の要素（５２、６２、７２、４３）内に係合し、この場合、第２の要素（５２、６２、７２、４３）がラベル貼付装置を心出しし且つその位置に固定することを特徴とする請求項１ないし３のいずれか一項に記載の機械。
【請求項５】
要素（４３、５１、５２、６１、６２、７２）がラベル貼付装置および装置受入れ架台（５、６、７、４０）上に相補的に形成されていることを特徴とする請求項４に記載の機械。
【請求項６】
要素（４３、５１、５２、６１、６２、７２）が、対をなして相互の形状に合致して係合するように、特に心出しコーン（４５、６１、７２）および心出し内孔（６２）として形成されていることを特徴とする請求項５に記載の機械。
【請求項７】
装置受入れ架台（５、６、７、４０）が、回転木馬型コンベヤ（３）を支持する台（２）と、特に台（２）の周囲の少なくとも一部を包囲するリング（４）と結合されていることを特徴とする請求項１ないし６のいずれか一項に記載の機械。
【請求項８】
装置受入れ架台（７）に、特に電動駆動装置（７９）を有するリフト装置（８０）が付属されていることを特徴とする請求項１ないし７のいずれか一項に記載の機械。
【請求項９】
リフト装置（８０）が、ラベル貼付装置を設置／除去するための受入れ位置から、より高い位置にある、ラベル貼付装置のための作業位置へ、およびその逆方向に移動可能であることを特徴とする請求項８に記載の機械。
【請求項１０】
異なるラベル貼付高さに対するそれぞれの作業位置が、移動通路内に設置可能な、前設定可能なストッパまたはスイッチにより、または電動リフト装置（７９、８０）の駆動制御内に記憶可能且つそれから呼出し可能な設定値により決定可能であることを特徴とする請求項９に記載の機械。
【請求項１１】
リフト装置（８０）が少なくとも１つの垂直案内（７３）を有し、ラベル貼付装置を受け入れる要素（７２）が垂直案内（７３）に沿って移動可能に支持されていることを特徴とする請求項８ないし１０のいずれか一項に記載の機械。
【請求項１２】
要素（７２）が、案内（７３）に支持されている支持体（７４、７５、７６）に固定されていることを特徴とする請求項１１に記載の機械。
【請求項１３】
リフト装置（８０）が駆動スピンドル（７８）を有し、駆動スピンドル（７８）は好ましくは要素（７２）を有する支持体（７４、７５、７６、７７）と係合していることを特徴とする請求項８ないし１２のいずれか一項に記載の機械。
【請求項１４】
駆動スピンドル（７８）は電動機（７９）により駆動可能であり、電動機（７９）は好ましくは回転位置伝送器（７９′）を有し且つ蓄積プログラム制御により制御されることを特徴とする請求項１３に記載の機械。
【請求項１５】
装置受入れ架台（５、６、７）がその横側においてラベル貼付装置（８）と係合可能であることを特徴とする請求項１ないし１４のいずれか一項に記載の機械。
【請求項１６】
装置受入れ架台がラベル貼付装置（８）の片側（６、７）とのみまたは向かい合う２つの側（５）と係合可能であることを特徴とする請求項１５に記載の機械。
【請求項１７】
装置受入れ架台（４０）が、ラベル貼付装置の下側と係合可能であることを特徴とする請求項１ないし１４のいずれか一項に記載の機械。
【請求項１８】
装置受入れ架台（４０）が、作業位置から非作業位置へ、特に水平位置から垂直位置へ、およびその逆方向に移行可能であることを特徴とする請求項１ないし１７のいずれか一項に記載の機械。
【発明の詳細な説明】
【背景技術】
【０００１】
本発明は請求項１の上位概念に記載の物品の装貼機械に関するものである。
【０００２】
ドイツ特許公開第１９７４１４７６号から、異なる構造タイプの物品の装貼機械（すなわち、ラベル等の備品を物品に取付ける機械を言う、以下、装貼機械と呼ぶ）が既知である。この文献の図１はテーブル板を有するラベル取付け機械を示し、テーブル板上に、装貼（ラベル等を取付けることを言う、以下、「装貼」という）されるべき物品をラベル貼付装置に沿って通過させるための連続駆動可能な回転木馬型コンベヤが支持されている。このテーブル板は、さらに、前記ラベル貼付装置もまた支持している。ラベル貼付装置の交換は、この構造においては時間がかかり且つ取扱いにくいものである。さらに、このようなラベル貼付機械を設置するには、テーブル板が大きいために比較的広い空間を必要とする。
【０００３】
同じ文献の図４は、ラベル貼付装置が固有の下部架台および付属の駆動装置を有する交換可能な自立モジュールとして形成されている実施例を開示している。機械の回転木馬型コンベヤに対するラベル貼付装置の相対位置を固定するためには、ラベル貼付装置を固定する必要がある。このために、ラベル貼付装置は例えば屋内の床板にボルトで固定されている。はじめに記載の形態に比較して、この方法は、装置を交換する場合にラベル貼付装置の取扱いをかなり改善している。それにもかかわらず、この形態もまたラベル貼付装置の心出しおよび固定のためにかなり時間を必要とし、このことは、特に装置の交換が頻繁な場合に、交換時間に関して不利な影響を与える。
【特許文献１】ドイツ特許公開第１９７４１４７６号明細書
【発明の開示】
【発明が解決しようとする課題】
【０００４】
この理由から、装置の交換作業においてラベル貼付装置がより簡単且つより迅速に取り換えられるように改善された方法を提供することが本発明の課題である。
【課題を解決するための手段】
【０００５】
この課題は請求項１ないし１８に記載の特徴により解決される。
回転木馬型コンベヤの周囲に設置され且つ床で支持された定置の少なくとも１つの装置受入れ架台により、任意のラベル貼付装置のより迅速でしかもより正確な交換が可能である。装置受入れ架台は、機械を設置するときに、装貼されるべき物品の回転木馬型コンベヤすなわち回転中に上下運動可能なコンベヤないしは搬送平面に対して、相対的に１回だけ正確に心出しされる。それに続いて装置受入れ架台を屋内の床板に不動に固定することが特に有利である。
【０００６】
この装置受入れ架台は設置位置に与えられた状況に合わせて製作可能である。回転木馬型コンベヤに対して相対的に、必要な高さおよび／または半径方向間隔および／または搬送面に対する傾斜に関して、装置受入れ架台のできるだけ無段階の心出しを実行可能にする調節可能構造が特に有利である。
【０００７】
例えば自動接着ラベル、常温糊付けラベルまたはローラ圧着ラベルのような異なるラベル・タイプを処理するように設計されていてもよい交換可能なラベル貼付装置にそれぞれ第１の要素が存在し、第１の要素は、ラベル貼付装置の装置受入れ架台内への設置において、装置受入れ架台に付属の第２の要素内に係合し、この場合、ラベル貼付装置を挿入または設置するときに、第１および第２の要素がラベル貼付装置の心出しおよび位置の固定を行う。前記第１および第２の要素は特に設定可能なストッパ本体の形に形成されていてもよく、ストッパ本体はラベル貼付装置の挿入運動ないしは設置運動を希望の終端位置に制限する。
【０００８】
第１および第２の要素を終端位置に到達するまで結合したときにラベル貼付装置が装置受入れ架台に対して相対的に自動心出しされるように、ラベル貼付装置および装置受入れ架台に付属の第１および第２の要素が、特に形状ロック形態により、相補的に形成されていることが有利である。このためには心出しコーンが特に適し、心出しコーンは、対応して形成された心出し内孔内に相互に形状が合った状態でロック係合する。このような自動心出しにより、ラベル貼付装置の交換は、工具の使用なしに問題なく実行可能である。前記第１および第２の要素を例えば垂直作用方向に対応配置したとき、ラベル貼付装置は、その自重のみにより、装貼機械の回転木馬型コンベヤに対して相対的な希望の心出し位置に常に心出しされている。
【０００９】
ラベル貼付結果に対して重要な、装置受入れ架台と回転木馬型コンベヤとの相対位置を正確に且つ常時保持するために、装置受入れ架台と、回転木馬型コンベヤを支持する台またはそれに固定されている構造部分とを結合することが有利である。
【００１０】
高さ方向に移動可能な装置受入れ架台は特に有利であり、その理由は、これにより、ラベルが貼付されるべき物品に対するラベルの貼付高さの調節が可能となるからである。このために、従来使用されているラベル貼付装置はそれぞれ比較的高価な高さ調節装置を備えているが、ここではこれが省略可能である。ここで対象とされるタイプの装貼機械は、回転木馬型コンベヤの周囲に、装置受入れ架台場所よりも著しく多いラベル貼付装置を備えていることがあるので、この有利な変更態様により、構造費用が著しく低減されることになる。高さ調節装置は電動操作例えば電動機を備えていることが好ましい。
【００１１】
異なるラベル貼付高さに迅速に切り換えるために、ラベル貼付装置の移動通路内に設置可能な、前設定可能なストッパ本体が設けられていてもよい。電動操作においては、ストッパ本体の代わりに、異なる位置に位置決め可能なリミット・スイッチが使用されてもよい。装置受入れ架台の高さ位置の問い合わせが例えば電動駆動モータの回転伝送器を介して行われることが特に有利であり、その理由は、このとき、制御との結合において、特定のラベル貼付高さに付属のそれぞれの位置に到達したときに駆動装置の自動遮断が実行可能であるからである。蓄積プログラム制御により、複数の異なるラベル貼付高さに付属の位置の値が記憶可能であることが有利であり、装貼機械の切換においてこれらの位置の値はボタンを押すことにより呼出し可能である。
【００１２】
他の有利な形態がその他の付属請求項から明らかである。以下に好ましい実施例を図により説明する。
【図面の簡単な説明】
【００１３】
【図１】図１はラベル貼付装置用装置受入れ架台の第１の実施形態の斜視図を示す。
【図２】図２は、装置受入れ架台内に設置された、単に略図で示されているラベル貼付装置を有する、図１の実施形態を示す。
【図３】図３はラベル貼付装置用装置受入れ架台の第２の実施形態の斜視図を示す。
【図４】図４は、設置された、単に略図で示されているラベル貼付装置を有する、図３の装置受入れ架台の第２の実施形態の側部を示す。
【図５】図５は図３および４の装置受入れ架台の縦部分断面図を示す。
【図６】図６は、リフト装置を有する、第３の実施例に対応する装置受入れ架台の斜視図を示す。
【図７】図７は図６の一部を拡大図で示す。
【図８】図８は、２つの異なる位置における、ラベル貼付装置用装置受入れ架台の第４の実施形態の略側面図を示す。
【図９】図９は図８の実施形態の部分斜視図を示す。
【発明を実施するための形態】
【００１４】
図１に、ラベル貼付装置が取り外された基本構造のラベルを取付ける機械の一部が斜視図で示されている。図を見やすくするために、ラベルが貼付されるべき物品を連続搬送する回転木馬型コンベヤ（図６参照）もまた示されていない。機械１は本質的に台２からなり、台２は、そのほぼ中央に配置されている、回転木馬型コンベヤのためのピボット軸受９を有している。ピボット軸受に対して半径方向に間隔をなして、ピボット軸受と同心に、少なくとも一部分を包囲するリング４が台２に不動に固定されている。リング４に、結合要素１０により、迅速交換可能なラベル貼付装置８（図２）のための、定置の装置受入れ架台５が固定されている。
【００１５】
装置受入れ架台５は、半径方向外側に向かって開いた、平行棒タイプのパイプ構造として形成され、パイプ構造は仮想長方形のコーナーに垂直方向に配置された、高さ調節が可能な４本の支持脚５３（床板に固定可能）を有し、支持脚５３は、その上端部に、水平面内に中間間隔をなして平行に伸長する円形断面の２本の支え棒５４を有している。この中間間隔はこの範囲内のラベル貼付装置８の外側ハウジング幅より大きい寸法を有している。
【００１６】
リング４に対して半径方向に配置された少なくとも１つの支え棒５４上に、クランプ可能な、分割可能タイプの２つの第２の要素５２が存在し、第２の要素５２は、装置ハウジングに固定されている第１の要素５１と協働してラベル貼付装置の位置を固定するためのものであり、第１の要素５１は図２に示されている。
【００１７】
ほぼ鎌状の形状を有するこの第１の要素５１は、ラベル貼付装置を上から支え棒５４上に設置ないしは降ろしたときに第１の要素５１が第２の要素５２の横に当接するように、ラベル貼付装置８のハウジングから横に張り出すように装着されている。第１の要素５１の支え棒５４を向く側にパイプ断面に適合された丸みが設けられているので、支え棒５４の縦方向のみならず横方向にもまたラベル貼付装置８の作業位置を不動に固定する形状ロックが得られる。この場合、装置受入れ架台５はラベル貼付装置の全重量を直接床板に伝達する。
【００１８】
重力により支援された、ラベル貼付装置の自動的な挿入および心出しを容易にするために、第２の要素には、少なくともその上方を向く領域に挿入テーパ５２′が設けられている。ラベル貼付装置を設置または除去するために、組込みリフト装置または外部リフト装置（リフト・トラック、リフト器具等）が必要である。
【００１９】
装置受入れ架台５は、機械１の設置において、ラベル貼付装置の正確な作業位置（高さ、半径方向間隔、搬送面に対する傾斜）に１回だけ心出しされる。その後は、第１の要素５１が全てそれぞれの装置ハウジングの正確に同じ位置に装着されているので、任意のラベル貼付装置が設置可能である。
【００２０】
このことは、図３および４に示されている、床板に支持された装置受入れ架台６の第２の実施形態に対しても同様に適用される。この構造は原理的に第１の実施形態を小型にした変更態様を示し且つ２本の支持脚６３を備えているにすぎず、支持脚６３は、同様に、リング４に、好ましくは形状ロックされて固定されている。２本の支持脚６３は円形断面を有する中空パイプとして形成されている。下端部にそれぞれねじ付きブッシュ６６が圧入されている。ねじ付きブッシュ６６内にねじ込みスピンドル６５がねじ込まれる（図５の断面図参照）。ねじ込みスピンドル６５は例えばボルトにより床板に不動に固定された足部６７の高さを調節するために使用される。中空パイプの開放された上端部にそれぞれ円錐形に形成されたシート６２が一体成形され、シート６２は心出しコーン６１を受け入れて形状をロックするためのものであり、心出しコーン６１はラベル貼付装置ないしはそれに配置された板状ブラケット６４に固定されている。
【００２１】
２本の中空パイプは床板に近い領域において水平横トラス６８により結合されている。ラベル貼付装置の傾斜を固定するために、水平方向に伸長して設けられた、好ましくは無段階に調節可能な少なくとも１つのストッパ６９（調節ねじ等）が横トラスに固定され、ストッパ６９に装置ハウジングが当接する。しかしながら、少なくとも１つのストッパ６９が逆に装置ハウジングに設けられ且つ横トラス６８に支持されてもよい。
【００２２】
２つの前記心出しコーン６１は、ラベル貼付装置から横方向に突出している２つのブラケット６４のそれぞれの下側に、しかも同じ高さで且つ中空パイプ６３と同じ間隔でねじにより固定されている。
【００２３】
水平に心出しされた横トラス６８の、中空パイプ６３から突出する横側端部に、斜めに装着された案内面６８′が存在し、案内面６８′は、僅かに持ち上げられたラベル貼付装置８をリング４に対して半径方向に挿入したときに、挿入運動が少なくとも１つのストッパ６９との当接により停止されるまで、自動的に横方向即ち接線方向の心出しを行う。この状況において、細くなっている端部を下方に向けている心出しコーン６１は、その下側に付属されている、中空パイプ６３内のそれぞれの円錐形シート６２と、少なくとも近似的に一致する。下ろすことにより心出しコーンはそのシート面と形状が合った状態でロック係合をなし、この場合、きわめて正確な微細心出しが行われる。ラベル貼付装置の重力により、その作業位置（図４参照）は固定されている。心出しコーンの高さ位置はブラケット６４へのそのねじ込みによって場合により調節可能である。
【００２４】
装置受入れ架台７の第３の実施例が図６および７に示されている。上記の第２の実施例との主な相違は組込みリフト装置８０にあり、リフト装置８０は、異なるラベル貼付高さを設定するために、ラベル貼付装置を異なる作業位置に持ち上げることを可能にする。これにより、従来ラベル貼付装置内に設けられていた高さ調節は不必要となる。
【００２５】
第３の実施形態７は、垂直方向に平行に設けられ且つリング４および床板に固定された２つのボール案内７３を備え、ボール案内７３上を移動可能なスライダ７４は、肉厚の型鋼板部分から形成された横ばり７５により剛に結合されている。横ばり７５の両方の外側側縁にそれぞれ支持脚７６が一体成形され、支持脚７６はその上部側に心出しコーン７２を有している。ラベル貼付装置を設置且つ心出しするために低位置の待機位置から持ち上げたときに、心出しコーン７２は、ラベル貼付装置の突出下側に同じ間隔で切込み成形された円錐形シート面（図示されていない）と形状が合った状態でロック係合可能である。
【００２６】
横ばり７５を上下移動させるために電動リフト装置が設けられ、電動リフト装置は、詳細には、垂直方向に設けられたねじスピンドル７８を有する、架台に固定された歯車モータ７９から構成され、ねじスピンドル７８は、横ばり７５に剛に固定されたブロック７７内のねじ孔内にねじ込まれている。
【００２７】
上方作業位置は、図示されていない、移動通路内に装着可能な、予め設定可能なストッパまたはリミット・スイッチにより固定可能である。しかしながら、これは、プログラム・メモリと結合されて、押しボタンにより異なる作業位置の位置問い合わせを介して呼び出し且つ自動的に電動で設定することを可能にする。このために、駆動モータに回転位置伝送器７９′が設けられてもよい。これは、単に、希望の各ラベル貼付高さに対して、対応値がプログラム・メモリ内に記憶されるだけでよい。
【００２８】
移動可能なラベル貼付装置の交換は、この方法において、特に迅速に、いかなる補助手段も用いることなくきわめて容易に可能である。新たに設置されるべきラベル貼付装置を予め心出しするために、第２の実施例に対応する図示されていない案内面が設けられていてもよいことは明らかである。
【００２９】
装置重量および片側保持によって発生するモーメントの形状安定吸収が確保されていて、十分に安定な保持が行われている場合には、場合により、垂直案内７３の床板支持は省略されてもよい。
【００３０】
図６にラベルを取付ける機械１の回転木馬型コンベヤ３が略図で示されている。びん等のようなラベルが貼付されるべき物品を受け取るために、共通ピッチ円上に等間隔で配置された多数の回転皿が設けられていてもよい。
【００３１】
図８は符号４０で示されている装置受入れ架台の第４の実施例を示す。装置受入れ架台４０は平らな床下構造を特徴とし、即ち、図示されていないラベル貼付装置は、その下側が、板状に形成された装置受入れ架台上に設置され、且つ回転木馬型コンベヤ３に対して相対的に心出しされた位置に保持可能である。このために、水平な板４１上に複数の心出し要素４３がオフセット位置に配置され、心出し要素４３はそれぞれ心出しコーン４５および支持面４４を有している。板４１は４本の足部４２上に置かれている。足部４２および／または心出し要素４３は、ラベル貼付装置を希望の位置に保持するために、個々にねじ固定により正確に高さ調節が可能である。この調節は一般に１回だけ行われる。ラベル貼付装置の下側ないしはその支持架台に、心出し要素４３に一致して配置されている心出し内孔が存在する。結合要素１０′を介して、板４１は、台２に固定されているリング４と結合されている。
【００３２】
図８の下側の図に示されているように、板４１は、水平軸の周りに折り畳み可能なようにヒンジ継手４６を介して結合要素１０′と結合されていてもよいことは有利であり、これにより、装置受入れ架台４０は、使用されていないときには、取っ手４９（図９）を用いて、作業位置（図８の上側の図）から、９０°上方の非作業位置（図８の下側の図）へ折り畳み可能である。この手段により、機械への良好なアクセス利便性が確保されている。
【００３３】
ラベル貼付装置の挿入を容易にするために、図９に示すように、板４１の上側に、半径方向外側から、半径方向内側の終端位置を決定するストッパ４７まで伸長する、隆起案内レール４８の形の挿入用斜材が固定されている。案内レール４８の相互間隔は挿入方向に狭くなり、これにより、ラベル貼付装置の下側に装着されている、案内レール４８の間を進入可能な案内ローラ（図示されていない）と結合して、車輪上で移動可能なラベル貼付装置の、横方向の事前の心出しが可能となる。挿入方向において先行する案内ローラがストッパ４７に衝当したとき直ちに、ラベル貼付装置の挿入運動が停止され、且つその下側の心出し内孔が、下側に存在する装置受入れ架台４０の心出し要素４３とほぼ一致することになる。装置を下ろすことにより、前記心出し要素は形状が合った状態でロック係合を形成し、これにより、装置が支持面４４上に着座し且つこの場合に希望の位置に微細心出しされている。装置の除去は逆の順序で行われる。ラベル貼付装置ないしはその支持架台は、上げ下ろしのために、組込みリフト装置（例えば油圧または電動で操作可能）を備えていてもよい。
【００３４】
図示されてはいないが、（ラベルの容器への貼付高さが異なるために）ラベル貼付装置を異なる作業位置に移動可能にするために、装置受入れ架台４０が上下移動可能に形成されていてもよい。このために、図６および７の実施例と同様に、板４１を上下させることを可能にする電動リフト装置が使用されてもよい。
【図１】
2011152958.tif 000003
【図２】
2011152958.tif 000004
【図３】
2011152958.tif 000005
【図４】
2011152958.tif 000006
【図５】
2011152958.tif 000007
【図６】
2011152958.tif 000008
【図７】
2011152958.tif 000009
【図８】
2011152958.tif 000010
【図９】
2011152958.tif 000011
【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
容器等のような物品にラベルを装貼する機械において、
物品を搬送する回転木馬型コンベヤと、
前記回転木馬型コンベヤを支持する剛体のフレームと、
垂直なスピンドルを回転する駆動モータと、
装置受入れ架台であって、
前記フレーム固定され垂直に配置された案内と、
前記案内に摺動可能に連結された剛体のクロスバーであって、前記駆動モータが第１の方向に回転したとき、前記駆動モータに対して上方に変位し、前記駆動モータが第２の方向に回転したとき、前記駆動モータに対して下方に変位するように、前記スピンドルに係合する前記クロスバーと、
前記クロスバーの上面に配置された少なくとも１つの第１の要素とを有する前記装置受入れ架台と、
前記物品が前記回転木馬型コンベヤによって搬送されるときに、前記物品にラベルを貼付するための交換可能なラベル貼付装置と、
を備え、
前記ラベル貼付装置は、前記クロスバーの上面に配置された前記少なくとも１つの第１の要素に形状係合して、前記ラベル貼付装置の位置を前記回転木馬型コンベヤの周囲に対して位置合わせして固定する、少なくとも１つの第２の要素を有し、
前記駆動モータによる前記クロスバーの上方及び下方への変位によって、前記ラベル貼付装置を異なる作動位置に持ち上げて、異なるラベル貼付高さを設定することを特徴とする、ラベル装貼機械。
【請求項２】
請求項１に記載のラベル装貼機械において、前記案内は、床面に固定されている、ラベル装貼機械。
【請求項３】
請求項１に記載のラベル装貼機械において、前記ラベル貼付装置及び前記装置受入れ架台上の各第１及び第２の要素は、相補的に設計されている、ラベル装貼機械。
【請求項４】
請求項３に記載のラベル装貼機械において、各第１及び第２の要素は、互いに係合する対の形態で設計されている、ラベル装貼機械。
【請求項５】
請求項１に記載のラベル装貼機械において、前記クロスバーは、前記ラベル貼付装置の受入れ挿入のための受入れ位置から、前記受入れ位置より高い前記ラベル貼付装置の作業位置に移動可能であり、及び、その逆方向に移動可能である、ラベル装貼機械。
【請求項６】
請求項５に記載のラベル装貼機械において、各作業位置は、前記クロスバーの移動経路内に至ることが可能な、予め調整可能な当接部又はスイッチ、又は、前記駆動モータの駆動制御部に記憶され呼び出される予め設定された値によって、異なるラベル貼付高さに予め調整可能である、ラベル装貼機械。
【請求項７】
請求項１に記載のラベル装貼機械において、前記装置受入れ架台は、前記ラベル貼付装置の底面側に係合する、ラベル装貼機械。
【請求項８】
請求項１に記載のラベル装貼機械において、前記少なくとも１つの第１の要素は、心出しボアであり、前記少なくとも１つの第２の要素は、心出しコーンである、ラベル装貼機械。
【請求項９】
請求項１に記載のラベル装貼機械において、前記駆動モータは、速度センサを有し、記憶部にプログラム可能な制御によって制御される、ラベル装貼機械。
【請求項１０】
請求項１に記載のラベル装貼機械において、前記少なくとも１つの第１の要素は、心出しコーンであり、前記少なくとも１つの第２の要素は、心出しボアである、ラベル装貼機械。
【請求項１１】
請求項１に記載のラベル装貼機械において、
前記クロスバーはねじ孔を有し、このねじ孔は、前記駆動モータが第１の方向に回転したとき、前記クロスバーが前記駆動モータに対して上方に変位し、前記駆動モータが第２の方向に回転したとき、前記クロスバーが前記駆動モータに対して下方に変位するように、前記スピンドルにねじ込み式に係合する、ラベル装貼機械。
【請求項１２】
請求項１１に記載のラベル装貼機械において、前記クロスバーのねじ孔は前記クロスバーに固定されるブロックに形成されている、ラベル装貼機械。
【請求項１３】
請求項１に記載のラベル装貼機械において、前記案内は、該案内に対して垂直方向に変位可能な可動スライダを有し、該可動スライドに前記クロスバーが固定されている、ラベル装貼機械。
【請求項１４】
請求項１に記載のラベル装貼機械において、前記クロスバーは、垂直に突出する一対の支持アームを有し、前記少なくとも１つの第１の要素は、前記支持アームの１つの上面に配置されている、ラベル装貼機械。
【請求項１５】
請求項１に記載のラベル装貼機械において、
概ね平坦な案内導入面が、前記案内、前記クロスバー及び前記フレームの１つに結合されており、
これにより、前記ラベル貼付装置が前記フレームに向かって移動したとき、前記ラベル貼付装置の前記第２の要素が前記クロスバーの前記第１の要素に概ね整列する位置に、前記案内導入面が前記ラベル貼付装置を導く、ラベル装貼機械。
【請求項１６】
請求項１に記載のラベル装貼機械において、前記フレームに垂直方向に配置されて固定された第２の案内を更に備え、該第２の案内は、前記案内に平行にオフセットされている、ラベル装貼機械。
【請求項１７】
容器等のような物品にラベルを装貼する機械において、
物品を搬送する回転木馬型コンベヤと、
前記回転木馬型コンベヤを支持する剛体のフレームと、
装置受入れ架台であって、
前記フレームに旋回可能に連結された実質的に平坦な板と、
前記板の上面に配置された少なくとも１つの第１の要素と、
前記板の底面に配置された少なくとも１つの足部とを備え、
前記板は作業位置から非操作位置に旋回可能であり、前記作業位置では、前記板が床面に実質的に平行で、前記少なくとも１つの足部が前記床面に接触して前記板を支持し、前記非作業位置では、前記板が前記床面に対して実質的に垂直である、前記装置受入れ架台と、
前記物品が前記回転木馬型コンベヤによって搬送されるときに、前記物品にラベルを貼付するための交換可能なラベル貼付装置であって、前記板が作業位置にあるときに、前記板の上面に配置された前記少なくとも１つの第１の要素に形状係合して、前記ラベル貼付装置の位置を前記回転木馬型コンベヤの周囲に対して位置合わせして固定する、少なくとも１つの第２の要素を有する前記ラベル貼付装置と、
を備えることを特徴とする、ラベル装貼機械。
【請求項１８】
請求項１７に記載のラベル装貼機械において、
前記板は、該板の上面側から垂直に突出し、概ね前記ラベル貼付装置の導入方向に延びる一対の隆起した出っ張りを有し、
前記出っ張りは、前記ラベル貼付装置が導入される間、前記ラベル貼付装置の底面に結合した対応する案内ローラに係合し、これにより、前記ラベル貼付装置が、前記少なくとも１つの第１の要素が前記少なくとも１つの第２の要素に整列する位置に転動される、ラベル装貼機械。
【請求項１９】
請求項１８に記載のラベル装貼機械において、前記各一対の隆起した出っ張りの離間距離は、前記導入方向に減少する、ラベル装貼機械。
【請求項２０】
請求項１８に記載のラベル装貼機械において、
前記板は、該板から垂直に突出する、接線方向に配置された隆起当接部を有し、
前記ラベル貼付装置が、前記少なくとも１つの第１の要素が前記少なくとも１つの第２の要素に整列する位置に転動されるとき、前記隆起当接部が、前記ラベル貼付装置の縦方向での更なる変位することを防止する、ラベル装貼機械。
【請求項２１】
請求項１７に記載のラベル装貼機械において、
前記少なくとも１つの第１の要素は、心出しコーンであり、前記少なくとも１つの第２の要素は、心出しボアである、ラベル装貼機械。
【請求項２２】
請求項１７に記載のラベル装貼機械において、
前記少なくとも１つの第１の要素は、心出しボアであり、前記少なくとも１つの第２の要素は、心出しコーンである、ラベル装貼機械。
【請求項２３】
請求項１７に記載のラベル装貼機械において、
前記少なくとも１つの足部が前記板の底面の一部にねじ込み式に連結されており、これにより、前記少なくとも１つの足部は、前記床面と前記板の底面との間の垂直距離が変化するように、垂直方向に調整可能である、ラベル装貼機械。
【請求項２４】
請求項２１に記載のラベル装貼機械において、前記心出しコーンが前記板の上面の一部にねじ込み式に連結され、これにより、前記心出しコーンが前記板に対して垂直方向で調整可能である、ラベル装貼機械。
【請求項２５】
請求項１７に記載のラベル装貼機械において、前記少なくとも１つの第２の要素が前記ラベル貼付装置の底面側に配置されている、ラベル装貼機械。
【請求項２６】
請求項１７に記載のラベル装貼機械において、前記フレームに結合要素が結合されており、前記結合要素が旋回連結部によって前記板に結合され、前記旋回連結部は前記板を前記床面に対して少なくとも９０°旋回させる、ラベル装貼機械。